(57)【要約】【課題】配管支持部を構造物に対して容易に設置することができる配管支持装置を提供する。【解決手段】配管支持装置１は、配管支持部２０と、Ｕボルト１１とを備えている。配管支持部２０は、上下方向で切断した断面形状がＬ字状をなすＬ型鋼により形成されている。また、配管支持部２０の載置面部２１と構造物１００の固定部１０１との間には、段差２６、２７が形成される。【選択図】図２
2020016275.tif 000002
【特許請求の範囲】
【請求項１】
構造物の固定部に載置された載置面部を有し、配管を支持する配管支持部と、
前記載置面部に設けた固定孔に一部が挿入され、前記配管支持部に支持された前記配管を前記配管支持部に固定するＵボルトと、を備え、
前記配管支持部は、上下方向で切断した断面形状がＬ字状をなすＬ型鋼により形成され、
前記載置面部と前記固定部との間には、段差が形成される
配管支持装置。
【請求項２】
前記配管支持部における前記配管が延在する方向と平行をなす方向の長さは、前記固定部における前記配管が延在する方向と平行をなす方向の長さと異なる長さに設定されている
請求項１に記載の配管支持装置。
【請求項３】
前記載置面部と前記固定部が接触する箇所は、直交している
請求項１に記載の配管支持装置。
【請求項４】
前記載置面部は、前記固定部に対して隅肉溶接により固定される
請求項１に記載の配管支持装置。
【請求項５】
前記配管支持部は、
前記載置面部から垂直に突出し、前記配管に当接するストッパー部を有する
請求項１に記載の配管支持装置。
【請求項６】
前記ストッパー部は、Ｌ型鋼の一部を切り欠くことで形成される
請求項５に記載の配管支持装置。
【発明の詳細な説明】
【技術分野】
【０００１】
本発明は、Ｕボルトを介して配管を支持する配管支持装置に関するものである。
【背景技術】
【０００２】
従来の配管支持装置としては、例えば、特許文献１に記載されているようなものがある。特許文献１には、配管を支持する配管支持部と、該配管支持部に支持されている配管を支持体に固定するＵボルトとを備えた技術が記載されている。そして、特許文献１には、配管支持部は、配管と接触支持する台座部が水平方向の荷重を鉛直方向に分散させるＶ字状傾斜部を有し、該Ｖ字状傾斜部の中心部に切り込みが形成された技術が記載されている。
【先行技術文献】
【特許文献】
【０００３】
【特許文献１】特開２０１７−１５１４２号公報
【発明の概要】
【発明が解決しようとする課題】
【０００４】
配管支持部を有するＵボルトには、技量要求の高いフレア溶接が必要な場合があり、そのため、構造物へ設置する作業が煩雑なものとなっていた。
【０００５】
本目的は、上記の問題点を考慮し、配管支持部を構造物に対して容易に設置することができる配管支持装置を提供することにある。
【課題を解決するための手段】
【０００６】
上記課題を解決し、目的を達成するため、配管支持装置は、構造物の固定部に載置された載置面部を有し、配管を支持する配管支持部と、載置面部に設けた固定孔に一部が挿入され、配管支持部に支持された配管を配管支持部に固定するＵボルトとを備えている。そして、配管支持部は、上下方向で切断した断面形状がＬ字状をなすＬ型鋼により形成されている。また、載置面部と固定部との間には、段差が形成される。
【発明の効果】
【０００７】
上記構成の配管支持装置によれば、配管支持部を構造物に対して容易に設置することができる。
【図面の簡単な説明】
【０００８】
【図１】第１の実施の形態例にかかる配管支持装置を示す正面図である。
【図２】第１の実施の形態例にかかる配管支持装置を示す側面図である。
【図３】第１の実施の形態例にかかる配管支持装置の配管支持部を示す斜視図である。
【図４】第２の実施の形態例にかかる配管支持装置を示す正面図である。
【図５】第２の実施の形態例にかかる配管支持装置を示す側面図である。
【発明を実施するための形態】
【０００９】
以下、配管支持装置の実施の形態例について、図１〜図５を参照して説明する。なお、各図において共通の部材には、同一の符号を付している。
【００１０】
１．第１の実施の形態例
１−１．配管支持装置の構成例
まず、第１の実施の形態例（以下、「本例」という）にかかる配管支持装置の構成の一例について、図１から図３を参照して説明する。
図１は、本例の配管支持装置を示す正面図、図２は、本例の配管支持装置を示す側面図である。
【００１１】
図１に示す装置は、各種プラント施設における流体や気体を移送するための略円筒状の配管２００を構造物１００に固定するための装置である。図１及び図２に示すように、配管支持装置１は、Ｕボルト１１と、構造物１００に固定される配管支持部２０と、固定ナット１４とを有している。
【００１２】
構造物１００は、配管支持部２０が固定される固定部１０１と、固定部１０１と略垂直に連続する支持部１０２とを有している。また、固定部１０１には、２つの構造物側固定孔１０４が形成されている。構造物側固定孔１０４は、固定部１０１における上下方向の上面部１０１ａから下面部１０１ｂにかけて貫通している。この構造物１００は、上下方向で切断した断面形状がＬ字状をなすＬ型鋼により構成されている。
【００１３】
なお、構造物１００としては、Ｌ型鋼に限定されるものではなく、Ｈ型鋼やＵ型鋼等を適用してもよい。
【００１４】
Ｕボルト１１は、略Ｕ字状に形成されており、その両側の端部１１ａには、それぞれ雄ねじが形成されている。また、Ｕボルト１１の端部１１ａは、後述する配管支持部２０に設けた固定孔２４及び構造物１００の構造物側固定孔１０４に挿入される。そして、Ｕボルト１１は、固定ナット１４を介して配管支持部２０及び構造物１００の固定部１０１に締結固定される。
【００１５】
図３は、配管支持部２０を示す斜視図である。
図３に示すように、配管支持部２０は、上下方向で切断した断面形状が略Ｌ字状をなすＬ型鋼により形成されている。配管支持部２０は、載置面部２１と、２つのストッパー部２２、２２とを有している。載置面部２１は、略矩形をなす平板状に形成されている。そして、載置面部２１は、上下方向で対向する上面部２１ａ、下面部２１ｂと、上面部２１ａの周囲には略垂直に連続する側面部２１ｃ、２１ｃ、２１ｄ、２１ｄとを有している。第１側面部２１ｃ、２１ｃは、上面部２１ａの長手方向の両端部に形成されており、第２側面部２１ｄ、２１ｄは、上面部２１ａの短手方向の両端部に形成されている。
【００１６】
載置面部２１には、２つの固定孔２４、２４が形成されている。固定孔２４は、載置面部２１を上下方向の上面部２１ａから下面部２１ｂにかけて貫通している。この固定孔２４には、Ｕボルト１１の端部１１ａが挿入される。
【００１７】
図１及び図２に示すように、載置面部２１は、構造物１００における固定部１０１の上面部１０１ａに載置される。そのため、載置面部２１の下面部２１ｂは、固定部１０１の上面部１０１ａと重なり合う。
【００１８】
図１に示すように、載置面部２１における配管２００と直交する方向、すなわち載置面部２１の長手方向の長さｔ１は、構造物１００の固定部１０１の長手方向の長さｓ１よりも短く設定されている。また、図２に示すように、載置面部２１における配管２００が延在する方向と平行をなす方向、すなわち載置面部２１の短手方向の長さｔ２は、構造物１００の固定部１０１の短手方向の長さｓ２よりも長く設定されている。
【００１９】
そのため、載置面部２１における長手方向の端部には、固定部１０１の上面部１０１ａとの間に段差２６が形成される。また、載置面部２１における短手方向の端部には、固定部１０１の上面部１０１ａとの間に段差２７が形成される。
【００２０】
さらに、図１に示すように、載置面部２１を固定部１０１に載置した際、載置面部２１の第１側面部２１ｃは、固定部１０１の上面部１０１ａと直交する。図２に示すように、固定部１０１の上面部１０１ａの短手方向の両端面１０１ｃは、載置面部２１の下面部２１ｂに直交する。
【００２１】
２つのストッパー部２２、２２は、載置面部２１における短手方向の一端部から垂直に連続する一片の一部を切り欠くことで形成されている。すなわち、２つのストッパー部２２、２２は、載置面部２１の上面部２１ａから垂直に突出している。さらに、２つのストッパー部２２、２２は、上面部２１ａの長手方向の両端部に形成されている。
【００２２】
ストッパー部２２は、略台形状に形成されている。２つのストッパー部２２、２２における互いに対向する一辺は、当接面部２２ａが形成されている。当接面部２２ａは、２つのストッパー部２２、２２が接近するにつれて載置面部２１の上面部２１ａ側に向けて傾斜している。この当接面部２２ａは、配管２００の外周面に当接する。
【００２３】
なお、ストッパー部２２の形状は、上述したものに限定されるものではない。例えば、当接面部２２ａを配管２００の曲率に対応させて略半円状に形成してもよい。
【００２４】
１−２．配管の固定作業例
次に、上述した構成を有する配管支持装置を用いた配管２００の固定作業例について説明する。
【００２５】
まず、構造物１００における固定部１０１の上面部１０１ａに配管支持部２０の載置面部２１を載置する。このとき、載置面部２１に設けた固定孔２４は、固定部１０１に設けた構造物側固定孔１０４と連通する。さらに、配管２００は、２つのストッパー部２２、２２の当接面部２２ａに当接する。これにより、配管２００における載置面部２１側の外周面は、２つのストッパー部２２、２２によって挟み込まれる。その結果、配管２００が載置面部２１の上面部２１ａ上で回転することを、２つのストッパー部２２、２２で規制することができる。
【００２６】
次に、Ｕボルト１１の端部１１ａを、配管支持部２０の固定孔２４及び構造物１００の構造物側固定孔１０４に挿入する。そして、２つの固定ナット１４をＵボルト１１の端部１１ａに締結することで、配管２００は、Ｕボルト１１と、配管支持部２０によって挟持される。
【００２７】
次に、構造物１００の固定部１０１と配管支持部２０の載置面部２１が接触する箇所を、溶接する。上述したように、載置面部２１の第１側面部２１ｃは、固定部１０１の上面部１０１ａと直交し、固定部１０１の両端面１０１ｃは、載置面部２１の下面部２１ｂに直交している。すなわち、溶接部Ｒ１は、直角な形状を有する箇所に対して形成される。
【００２８】
これにより、載置面部２１の固定部１０１の間に形成された段差２６、２７に対して技量要求の高いフレア溶接ではなく、比較的容易な隅肉溶接を行うことができる。その結果、配管支持部２０の設置作業を容易に設置することができる。
【００２９】
なお、溶接作業は、Ｕボルト１１を配管支持部２０に取り付ける前に行ってもよい。また、本例では、載置面部２１及び固定部１０１における長手方向及び短手方向の両方の端部に対して溶接を行った例を説明したが、これに限定されるものではない。載置面部２１及び固定部１０１における長手方向又は短手方向の端部のうち少なくとも一方の端部、好ましくは、短手方向（配管２００が延在する方向と平行をなす方向）の端部に対して溶接を行えばよい。
【００３０】
さらに、本例では、Ｌ型鋼から配管支持部２０が形成されているため、Ｌ型鋼の規格品を用いることで、容易に配管支持部２０を形成することができる。
【００３１】
２．第２の実施の形態例
次に、第２の実施の形態例にかかる配管支持装置の構成について図４及び図５を参照して説明する。
図４は、第２の実施の形態例にかかる配管支持装置の正面図、図５は、第２の実施の形態例にかかる配管支持装置の側面図である。
【００３２】
この第２の実施の形態例にかかる配管支持装置が、第１の実施の形態例にかかる配管支持装置１と異なる点は、配管支持部の寸法である。そのため、ここでは、配管支持部について説明し、第１の実施の形態例にかかる配管支持装置１と共通する部分には、同一の符号を付して重複した説明を省略する。
【００３３】
図４及び図５に示すように、配管支持装置３０は、Ｕボルト１１と、配管支持部４０と、固定ナット１４とを有している。配管支持部４０は、載置面部４１と、ストッパー部４２とを有している。載置面部４１は、上面部４１ａ、下面部４１ｂ、第１側面部４１ｃ、４１ｃ及び第２側面部４１ｄ、４１ｄを有している。
【００３４】
図５に示すように、載置面部４１における配管２００が延在する方向と平行をなす短手方向の長さｔ３は、構造物１００の固定部１０１の短手方向の長さｓ２よりも短く設定されている。なお、図４に示すように、載置面部４１における長手方向の長さｔ１は、第１の実施の形態例にかかる載置面部２１と同様に、固定部１０１の長手方向の長さｓ１よりも短く設定されている。
【００３５】
そのため、この第２の実施の形態例にかかる配管支持装置３０においても、配管支持部４０の載置面部４１と固定部１０１との間には、段差４６、４７が形成される。そして、図４に示すように、載置面部４１の第１側面部４１ｃは、固定部１０１の上面部１０１ａと直交する。また、配管支持部４０は、Ｌ型鋼により形成されているため、載置面部４１の第２側面部４１ｄは、固定部１０１の上面部１０１ａと直交する。
【００３６】
したがって、この第２の実施の形態例にかかる配管支持装置３０においても、溶接を行う溶接部Ｒ１の形状は、直角に形成されている。その結果、配管支持部４０を隅肉溶接により固定部１０１に溶接することができる。
【００３７】
その他の構成は、第１の実施の形態例にかかる配管支持装置１と同様であるため、それらの説明は省略する。このような構成を有する配管支持装置３０によっても、上述した第１の実施の形態例にかかる配管支持装置１と同様の作用効果を得ることができる。
【００３８】
なお、上述しかつ図面に示した実施の形態に限定されるものではなく、特許請求の範囲に記載した発明の要旨を逸脱しない範囲内で種々の変形実施が可能である。
【００３９】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００４０】
１、３０…配管支持装置、  １１…Ｕボルト、  １１ａ…端部、  １４…固定ナット、  ２０、４０…配管支持部、  ２１、４１ａ…載置面部、  ２１ｂ…下面部、  ２１ｃ、２１ｄ、４１ｃ、４１ｄ…側面部、  ２２、４２…ストッパー部、  ２２ａ…当接面部、  ２４…固定孔、  ２６、２７、４６、４７…段差、  １００…構造物、  １０１…固定部、  １０１ａ…上面部、  １０１ｂ…下面部、  １０１ｃ…両端面、  １０２…支持部、  １０４…構造物側固定孔、  ２００…配管、  Ｒ１…溶接部
【図１】
2020016275.tif 000003
【図２】
2020016275.tif 000004
【図３】
2020016275.tif 000005
【図４】
2020016275.tif 000006
【図５】
2020016275.tif 000007